Podtech/llm-jp-corpus-v4-ja_patent huggingface dataset:
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
構造物に対して又は構造物から流体を移送する装置であって、
頸部を有する内部流路を有する導管であって、該導管の一部が前記構造物の孔内に収容されるように構成された、導管と、
前記導管の前記内部流路内に収容されるように構成され且つ少なくとも一部分が前記内部流路の前記頸部よりも大きな寸法を有する拡張装置と、
前記導管の前記内部流路を介して前記拡張装置を駆動して前記導管の前記頸部を拡げるように構成された駆動機構と、
を有し、
前記装置が、ドリルステムを備える孔開け機構を有し、
前記拡張装置が、前記拡張装置を介した前記ドリルステムの通過を可能とするアパーチャを備えており、
前記孔開け機構が、前記構造物に孔を形成するように構成された切削ビットを有し、
該切削ビットがドリルステムの端部に搭載されている、装置。
【請求項２】
前記導管の軸に対して垂直に、前記導管から半径方向に延出する停止機構を有する、請求項１に記載の装置。
【請求項３】
前記頸部が、前記内部流路のボア孔内でかつ前記内部流路の端部から離間して、前記導管の内側面において半径方向内側に延出する突起を備え、前記突起が、前記導管の内周まわりの連続的な環状リングである、請求項１又は２に記載の装置。
【請求項４】
前記拡張装置のための前記駆動機構が、前記構造物における前記孔を介して軸方向に前記導管を駆動する、請求項１〜３のいずれか一項に記載の装置。
【請求項５】
前記拡張装置が前記導管を介して駆動される前に、前記導管を前記構造物に一時的に接続する取り付け機構を含む、請求項１〜４のいずれか一項に記載の装置。
【請求項６】
前記孔開け機構が、油圧シリンダ及びピストン構成を備えるビット駆動機構によって切削ビットを軸方向に進めるドリルを備え、
前記油圧シリンダ及びピストン構成が、前記導管を駆動して前記構造物に接触させるとともに、前記拡張装置の移動を引き起こして前記頸部を通す、請求項１〜５のいずれか一項に記載の装置。
【請求項７】
前記拡張装置は、前記頸部よりも広い１つの部分と前記頸部よりも狭い１つの部分とでテーパが付けられている、請求項１〜６のいずれか一項に記載の装置。
【請求項８】
前記拡張装置が、拡張した形態と収縮した形態との間で形態を変化させるようにそれ自体が構成されている、請求項１〜７のいずれか一項に記載の装置。
【請求項９】
前記拡張装置が、前記ドリルステムの回転を通じて適用されるトルクから前記拡張装置を分離するベアリングを前記アパーチャ内に組み込んでいる、請求項１〜８のいずれか一項に記載の装置。
【請求項１０】
前記頸部を有する前記導管を格納し、且つ、前記拡張装置が前記導管を介して駆動される前に前記構造物に対する一時的な接続を容易にするフランジを有するガイドアセンブリを有する、請求項１〜９のいずれか一項に記載の装置。
【請求項１１】
前記孔開け装置がドリルステムを備え、前記拡張装置が、前記ドリルステムに取り外し可能に接続されており、前記頸部を介して前記拡張装置の通過によってそこから接続を断つように構成されている、請求項１〜１０のいずれか一項に記載の装置。
【請求項１２】
前記構造物が、それぞれが外側面及び内側面を有する二重外板を有し、前記導管が、前記頸部が拡張される前に前記構造物の外側面及び内側面を通過するように構成され、それにより、前記頸部の一部が前記構造物の内側面内に又は内側面を越えて配置されたときに前記頸部が拡張される、請求項１〜１０のいずれか一項に記載の装置。
【請求項１３】
前記導管の外側面上に配置された弾性ロック装置を組み込んでおり、前記弾性ロック装置が、当該ロック装置は前記外側面を通過中には第１の半径方向に圧縮された形態に保持されており、前記外側面を通過した後には、形態変化後に前記内側面を通過するのに抵抗する半径方向に拡げられた形態へとその形態を変化させるように構成されている、請求項１２に記載の装置。
【請求項１４】
構造物に導管を取り付ける方法であって、
内部流路を有する導管に頸部を設けるステップと、
前記構造物の表面を通る孔を形成して、前記孔を介して前記導管の一部を通過可能とするステップと、
前記導管の一部を前記構造物における前記孔に通過させることによって前記導管の前記頸部を前記構造物における前記孔に通過させるステップと、
前記頸部において制限された嵌合をなすように構成された拡張装置を設けるステップと、
前記導管の頸部を通過する前記拡張装置を駆動するように構成された駆動装置を設けるステップと、
前記駆動装置を作動して前記導管の一部を介して前記拡張装置を駆動することによって前記拡張装置が前記頸部の領域における前記導管の前記内部流路の一部を広げるステップと、
ドリルステムと前記ドリルステムの端部に搭載された切削ビットとを備える孔開け機構を設けるステップとを備え、
前記孔が前記切削ビットが前記構造物を通って駆動されることにより切削され、前記拡張装置には前記ドリルステムを収容するアパーチャが設けられ、前記方法が前記拡張装置の前記アパーチャを介して前記ドリルステムを通過させることにより前記ドリルステムに前記拡張装置を搭載するステップを含む、方法。
【請求項１５】
前記頸部が、前記孔を通過し且つ前記孔の反対側の端部において前記構造物を越えて延出している、請求項１４記載の方法。
【請求項１６】
前記導管の外側面上の停止機構が、前記孔内の前記導管の軸方向の移動を制限する、請求項１４又は１５に記載の方法。
【請求項１７】
前記頸部が、前記拡張装置が前記内部流路を通過する前に前記頸部が前記孔を通過するのを可能とする第１の形態から、前記内部流路を介した前記拡張装置の移動による前記頸部の拡張後に前記頸部が前記孔を通過するのを制限する第２の形態へと前記拡張装置の通過によって変形される、請求項１４、１５、又は、１６に記載の方法。
【請求項１８】
前記拡張装置が、前記導管の末端部から落ちるまで前記導管が前記頸部を通り過ぎることによって駆動される、請求項１４〜１７のいずれか一項に記載の方法。
【請求項１９】
前記拡張装置が、前記内部流路の前記末端部において前記頸部の下方に組み立てられて、前記頸部を拡張するように前記末端部から前記導管を介して引っ張られる、請求項１４〜１７のいずれか一項に記載の方法。
【請求項２０】
前記構造物が、それぞれが外側面及び内側面を有する二重外板を有し、前記導管が、前記頸部が拡張される前に前記構造物の外側面及び内側面を通過され、したがって、前記頸部の一部が前記構造物の内側面内に又は内側面を越えて配置された場合に前記頸部が拡張される、請求項１４〜１９のいずれか一項に記載の方法。
【手続補正書】
【提出日】平成23年1月14日(2011.1.14)
【手続補正１】
【補正対象書類名】明細書
【補正対象項目名】００１１
【補正方法】変更
【補正の内容】
【００１１】
図１は、本発明の実施形態による、ＬＮＧを気化するためのシステムの図である。膨張タンクＥＴ−１が、熱伝達媒体として、水、グリコールおよびアルコールの混合物を貯蔵する。膨張タンクＥＴ−１は、圧力約１０ｐｓｉｇにおける約−３０°Ｆから約１５０°Ｆの温度に対する熱伝達媒体の体積膨張とポンプ吸引に対応するためのタンクであって、雰囲気ガスでガスシールされた炭素鋼からなる。膨張タンクＥＴ−１は、注入口／排気口、自動／手動充填ノズル、レベル表示／制御デバイス、および断熱材なしの人用保護ガードを備える。グリコールは、エチレン・グリコールを含む。アルコールは、メタノール／エタノールを含む。熱伝達媒体は、約−４０°Ｆより低い凝固温度を有するが、最低温度が約−２０°Ｆのシステム内で機能する。少なくとも１つの循環ポンプＣＰ−１が、膨張タンクＥＴ−１からの熱伝達媒体を循環させる。循環ポンプは、容量が大きく揚程が低いポンプからなる。
【手続補正書】
【提出日】平成23年1月13日(2011.1.13)
【手続補正１】
【補正対象書類名】特許請求の範囲
【補正対象項目名】全文
【補正方法】変更
【補正の内容】
【特許請求の範囲】
【請求項１】
ハイブリッド風力タービンタワー（５）の連結装置（８）であって、前記風力タービンタワーはコンクリート部分（７）と金属部分（６）とを具備し、前記連結装置（８）は、前記金属部分（６）を前記コンクリート部分（７）に連結するように構成され、
前記連結装置（８）は、使用状態ではコンクリート部分（７）に隣接するハイブリッド風力タービンタワー（５）の金属部分（６）に固定されるために適し、かつ前記コンクリート部分（７）に少なくとも部分的に埋め込まれるのに適する略チューブ状構造を有する金属ボディ（９）を備え、前記金属ボディ（９）には複数の固定用穴（１１）が配設され、これらの固定用穴は、コンクリート部分（７）の材料がこれらの穴を通り抜けるように構成され、前記金属ボディ（９）は、該金属ボディから突出する複数のプレート（１３）を含むことを特徴とする、連結装置（８）。
【請求項２】
前記固定用穴（１１）は、金属ボディ（９）のチューブ状壁（１２）に形成される、請求項１に記載の連結装置（８）。
【請求項３】
前記プレート（１３）は、金属ボディ（９）の外側部分に配置される、請求項１に記載の連結装置（８）。
【請求項４】
前記プレート（１３）は、金属ボディ（９）の内側部分に配置される、請求項３に記載の連結装置（８）。
【請求項５】
前記プレート（１３）には、コンクリート部分（７）の材料が通り抜けるように構成された複数の固定用穴（１１）が配設される、請求項４に記載の連結装置（８）。
【請求項６】
前記プレート（１３）の前記複数の固定用穴（１１）のうちの少なくとも幾つかの穴は、円形または楕円形である、請求項５に記載の連結装置（８）。
【請求項７】
前記固定用穴（１１）は液滴形である、請求項６に記載の連結装置（８）。
【請求項８】
前記固定用穴（１１）は、タワー（５）の頂部に向かう方向に小さくなるサイズを有する、請求項７に記載の連結装置（８）。
【請求項９】
前記固定用穴（１１）は、タワー（５）の頂部に向かう方向に大きくなるサイズを有する、請求項８に記載の連結装置（８）。
【請求項１０】
前記固定用穴（１１）のうちの少なくとも幾つかの穴は、前記プレート（１３）の端部（１４）から金属ボディ（９）に向かう方向に広くなる、請求項９に記載の連結装置（８）。
【請求項１１】
前記プレート（１３）は、前記金属ボディ（９）とほぼ直交する方向に突出する、請求項１０に記載の連結装置（８）。
【請求項１２】
前記金属ボディ（９）は円筒形である、請求項１１に記載の連結装置（８）。
【請求項１３】
前記金属ボディ（９）は円錐台形である、請求項１１に記載の連結装置（８）。
【請求項１４】
前記金属ボディ（９）は多角形である、請求項１１に記載の連結装置（８）。
【請求項１５】
少なくとも金属部分（６）及び少なくともコンクリート部分（７）を備えるハイブリッド風力タービンタワー（５）であって、一つの金属部分（６）と一つのコンクリート部分（７）との間に配設される、請求項１に記載の連結装置（８）を備えることを特徴とする、ハイブリッド風力タービンタワー（５）。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
下記の式で表される化合物、またはその製薬上許容し得る塩、またはそのプロドラッグ：
【化１】
2010516777.tif 000001
(式中、Yは、有機酸官能基、またはその14個までの炭素原子を含むアミドもしくはエステルであるか；或いは、Yは、ヒドロキシメチル、またはその14個までの炭素原子を含むエーテルであるか；或いは、Yは、テトラゾリル官能基であり；
Aは、‐(CH2)6‐、シス‐CH2CH=CH‐(CH2)3‐、または‐CH2C≡C‐(CH2)3‐であり、これらにおいて、１個または２個の炭素原子はSまたはOによって置換することができ；或いは、Aは、‐(CH2)m‐Ar‐(CH2)o‐であり、Arはインターアリーレンまたはヘテロインターアリーレンであり、mとoの和は1、2、3または4であり、1個の‐CH2‐はSまたはOによって置換することができ、1個の‐CH2‐CH2‐は‐CH=CH‐または‐C≡C‐によって置換することができ；
Gは、HまたはOHであり；そして、
Bは、アリールまたはヘテロアリールである)。
【請求項２】
下記の式で表される請求項１記載の化合物、またはその製薬上許容し得る塩、またはそのプロドラッグ：
【化２】
2010516777.tif 000002
【請求項３】
下記の式で表される請求項２記載の化合物、またはその製薬上許容し得る塩、またはそのプロドラッグ：
【化３】
2010516777.tif 000003
【請求項４】
下記の式で表される請求項１記載の化合物、またはその製薬上許容し得る塩、またはそのプロドラッグ：
【化４】
2010516777.tif 000004
(式中、点線は、結合の存在または不存在を示す)。
【請求項５】
Bが、フェニルである、請求項１〜４のいずれか１項記載の化合物。
【請求項６】
Bが、3‐クロロ‐5‐(ヒドロキシメチル)フェニルである、請求項５記載の化合物。
【請求項７】
Bが、3‐クロロ‐5‐(2‐ヒドロキシエチル)フェニルである、請求項５記載の化合物。
【請求項８】
Bが、3‐クロロ‐5‐メトキシフェニルである、請求項５記載の化合物。
【請求項９】
Bが、3‐(2‐アセトキシエチル)‐5‐クロロフェニルである、請求項５記載の化合物。
【請求項１０】
Gが、Hである、請求項１〜９のいずれか１項記載の化合物。
【請求項１１】
Gが、OHである、請求項１〜９のいずれか１項記載の化合物。
【請求項１２】
Yが、CO2R2、CON(R2)2、CON(OR2)R2、CON(CH2CH2OH)2、CONH(CH2CH2OH)、CH2OH、P(O)(OH)2、CONHSO2R2、SO2N(R2)2、SO2NHR2、下記：
【化５】
2010516777.tif 000005
(式中、R2は、個々に、H、C1〜C6アルキル、非置換フェニルまたは非置換ビフェニルである)
である、請求項１〜１１のいずれか１項記載の化合物。
【請求項１３】
Yが、CO2R2である、請求項１２記載の化合物。
【請求項１４】
請求項１〜１３のいずれか１項記載の化合物を含み、眼科的に許容し得る液体である組成物。
【請求項１５】
請求項１〜１３のいずれか１項記載の化合物の、哺乳類の緑内障または高眼圧症の治療用医薬品の製造における使用。
【請求項１６】
請求項１〜１３のいずれか１項記載の化合物を含む、緑内障または高眼圧症の治療用医薬組成物。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
下記の式を有する化合物、またはその製薬上許容し得る塩、またはそのプロドラッグ：    
【化１】
2010516779.tif 000001
(式中、Yは、有機酸官能基、またはその12個までの炭素原子を含むアミドもしくはエステルであるか；或いは、Yは、ヒドロキシメチル、またはその12個までの炭素原子を含むエーテルであるか；或いは、Yは、テトラゾリル官能基であり；
Bは、C=O、CH2、CHOH、CHCl、CHF、CHBrまたはCHCNであり；
Gは、OHまたはHであり；そして、
Dは、置換フェニルである)。
【請求項２】
Yが、CO2R2、CON(R2)2、CON(OR2)R2、CON(CH2CH2OH)2、CONH(CH2CH2OH)、CH2OH、P(O)(OH)2、CONHSO2R2、SO2N(R2)2、SO2NHR2、下記：
【化２】
2010516779.tif 000002
(式中、R2は、個々に、H、C1〜C6アルキル、置換フェニルまたは非置換ビフェニルである)
から選ばれる、請求項１記載の化合物。
【請求項３】
Bが、C=Oである、請求項１または２記載の化合物。
【請求項４】
Bが、CH2である、請求項１または２記載の化合物。
【請求項５】
Bが、CHOHである、請求項１または２記載の化合物。
【請求項６】
Bが、CHClである、請求項１または２記載の化合物。
【請求項７】
Bが、CHFである、請求項１または２記載の化合物。
【請求項８】
Bが、CHBrである、請求項１または２記載の化合物。
【請求項９】
Bが、CHCNである、請求項１または２記載の化合物。
【請求項１０】
Gが、OHである、請求項１〜９のいずれか１項記載の化合物。
【請求項１１】
Gが、Hである、請求項１〜９のいずれか１項記載の化合物。
【請求項１２】
Dが、クロロ置換基を有する、請求項１〜１１のいずれか１項記載の化合物。
【請求項１３】
Dが、２個のクロロ置換基を有する、請求項１２記載の化合物。
【請求項１４】
Dが、ヒドロキシメチル置換基を有する、請求項１２記載の化合物。
【請求項１５】
置換基が、0〜4個の炭素原子、0〜2個の酸素原子、0または1個の塩素原子、および0〜10個の水素原子からなる、請求項１〜１１のいずれか１項記載の化合物。
【請求項１６】
各置換基が、個々に、メチル、エチル、プロピル、イソプロピル、フルオロ、クロロ、ブロモ、ヒドロキシメチルまたはヒドロキシエチルである、請求項１５記載の化合物。
【請求項１７】
請求項１〜１５のいずれか１項記載の化合物を含む、緑内障または高眼圧症の治療用医薬組成物。
【請求項１８】
請求項１〜１５のいずれか１項記載の化合物の、緑内障または高眼圧症の治療用の医薬品の製造における使用。
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
治療を必要とする対象における、少なくとも１つの胃腸状態を治療するための方法であって、少なくとも１種類のα３β４ｎＡＣｈＲ拮抗薬又はその製薬的に受容される塩の治療有効量を含む組成物を該対象に投与することを含み、この場合、該少なくとも１種類のα３β４ｎＡＣｈＲ拮抗薬が、ｎＡＣｈＲのα３β４サブタイプに対して１．０ｘ１０−６〜１ｘ１０−９の範囲のＩＣ５０値を示す、又はα３β４ｎＡＣｈＲサブタイプに対して、少なくとも１種類の他のｎＡＣｈＲサブタイプに比べて少なくとも２倍大きい効力を示す方法。
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
少なくとも１つの抗甲状腺薬物を含み、
組成物に、少なくとも１つの非プロトン性極性溶媒、少なくとも１つのポリオールおよび少なくとも１つの脂肪酸も含むことを特徴とする、経皮投与のために処方された組成物。
【請求項２】
前記脂肪酸が、オレイン酸、リノール酸、パルミチン酸およびこれらの組み合わせから選択される、請求項１に記載の組成物。
【請求項３】
前記非プロトン性極性溶媒が、ピロリドン、ジメチルホルムアミドおよびこれらの組み合わせから選択される、請求項１または２に記載の組成物。
【請求項４】
前記ピロリドンが、ｎ−メチル−ピロリドン（ＮＭＰ）、２−ピロリドンおよびこれらの組み合わせから選択される、請求項１に記載の組成物。
【請求項５】
前記ポリオールが、プロピレングリコールおよびポリエチレングリコールおよびこれらの組み合わせから選択される、請求項１〜４のいずれか１項に記載の組成物。
【請求項６】
テルペンを含む、請求項１〜５のいずれか１項に記載の組成物。
【請求項７】
エタノール、プロパノール、イソプロパノール、ブタノール、ベンジルアルコールおよびこれらの組み合わせから選択されるＣ２〜Ｃ８アルコールを含む、請求項１〜６のいずれか１項に記載の組成物。
【請求項８】
ジエチレングリコールモノメチルエーテル、ジエチレングリコールモノブチルエーテル、ジプロピレングリコールモノメチルエーテルおよびこれらの組み合わせから選択されるグリコールエーテルを含む、請求項１〜７のいずれか１項に記載の組成物。
【請求項９】
トリアセチン、ジアセチンおよびこれらの組み合わせから選択されるアセチンを含む、請求項１〜８のいずれか１項に記載の組成物。
【請求項１０】
少なくとも１つの抗甲状腺薬物を含み、
組成物に、少なくとも１つの非プロトン性極性溶媒、少なくとも１つのポリオールおよび少なくとも１つの脂肪酸も含むことを特徴とする組成物を経皮投与することによって、治療の必要な非ヒト動物の甲状腺機能高進症を治療する方法。
【請求項１１】
治療の必要な動物の甲状腺機能高進症を治療する医薬の製造における、
少なくとも１つの抗甲状腺薬物を含み、
組成物に、少なくとも１つの非プロトン性極性溶媒、少なくとも１つのポリオールおよび少なくとも１つの脂肪酸も含むことを特徴とする、経皮投与のために処方された組成物の使用。
【請求項１２】
（ａ）プロピレングリコールを５０〜６０℃の温度まで加熱する工程と、
（ｂ）ＰＥＧ４０００をプロピレングリコールに溶解する工程と、
（ｃ）ｄ−リモネン、Ｎ−メチル−ピロリドン、エタノール、トリアセチンおよびこれらの組み合わせから選択される少なくとも１つの化合物を混合する工程と、
（ｄ）少なくとも１つの抗甲状腺薬物を溶解する工程と、
（ｅ）オレイン酸を混合し、冷却する工程とを含む、経皮投与のために処方される組成物を製造する方法。
【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
１又はそれより多い抗原を含んでなり、かつエキソソーム中に通常見出される１又はそれより多い免疫抑制性ポリペプチドを実質的に欠いている、細胞から単離したエキソソーム。
【請求項２】
前記細胞が前記１又はそれより多い免疫抑制性ポリペプチドの発現を阻害するように改変されている請求項１に記載のエキソソーム。
【請求項３】
前記細胞が前記１又はそれより多い免疫抑制性ポリペプチドの発現を特異的に抑制する１又はそれより多い阻害性ポリヌクレオチドを含んでなるように改変されている請求項２に記載のエキソソーム。
【請求項４】
前記１又はそれより多い阻害性ポリヌクレオチドがsiRNAポリヌクレオチドを含んでなる請求項３に記載のエキソソーム。
【請求項５】
前記細胞が培養細胞である請求項１〜４のいずれか１項に記載のエキソソーム。
【請求項６】
前記細胞がガン細胞である請求項１〜５のいずれか１項に記載のエキソソーム。
【請求項７】
前記ガン細胞が、卵巣ガン細胞、子宮頸ガン細胞、乳ガン細胞、子宮内膜ガン細胞、結腸ガン細胞、前立腺ガン細胞、肺ガン細胞、黒色腫細胞又は膵臓ガン細胞である請求項６に記載のエキソソーム。
【請求項８】
前記細胞が、UL-1細胞、UL-2、UL-3細胞又はUL-6細胞である請求項６に記載のエキソソーム。
【請求項９】
前記１又はそれより多い抗原が各々ガン細胞抗原を含んでなる請求項１〜８のいずれか１項に記載のエキソソーム。
【請求項１０】
前記ガン細胞抗原が、p53、p63、p73、mdm-2、プロカテプシン-Ｄ、B23、C23、PLAP、CA125、MUC-1、cerB/HER2、NY-ESO-1、SCP1、SSX-1、SSX-2、SSX-4、HSP27、HSP60、HSP90、GRP78、TAG72、HoxA7、HoxB7、EpCAM、ras、メソテリン、サービビン、EGFK、MUC-1及びc-mycからなる群より選択される請求項９に記載のエキソソーム。
【請求項１１】
前記１又はそれより多い免疫抑制性ポリペプチドが、FasL、プログラム死リガンド-１、プログラム死リガンド-２、B7-H3、B7-H4及びこれらの組合せからなる群より選択される
請求項１〜１０のいずれか１項に記載のエキソソーム。
【請求項１２】
１又はそれより多い外因性抗原を含んでなる請求項１〜１１のいずれか１項に記載のエキソソーム。
【請求項１３】
前記１又はそれより多い外因性抗原がスーパー抗原を含んでなる請求項１２に記載のエキソソーム。
【請求項１４】
前記スーパー抗原がブドウ球菌エンテロトキシン(SE)、Streptococcus pyogenes外毒素(SPE)、Staphylococcus aureusトキシックショック症候群毒素(TSST-1)、レンサ球菌分裂誘発性外毒素(SME)又はレンサ球菌スーパー抗原(SSA)を含んでなる請求項１３に記載のエキソソーム。
【請求項１５】
請求項１〜１４のいずれか１項に記載のエキソソームを産生する細胞。
【請求項１６】
(ａ)請求項１〜１４のいずれか１項に記載のエキソソーム；及び
(ｂ)医薬キャリア
を含んでなる組成物。
【請求項１７】
(ａ)エキソソームを産生することができる細胞を用意し；
(ｂ)前記細胞による１又はそれより多い免疫抑制性ポリペプチドの発現を阻害し；そして
(ｃ)前記細胞により産生された、前記１又はそれより多い免疫抑制性ポリペプチドを実質的に欠いているエキソソームを単離すること
を含んでなる１又はそれより多い免疫抑制性ポリペプチドを実質的に欠いているエキソソームを製造する方法。
【請求項１８】
前記エキソソームを１又はそれより多い外因性抗原で修飾することを含んでなる請求項１７に記載の方法。
【請求項１９】
前記１又はそれより多い外因性抗原がスーパー抗原を含んでなる請求項１８に記載の方法。
【請求項２０】
前記スーパー抗原が、ブドウ球菌エンテロトキシン(SE)、Streptococcus pyogenes外毒素(SPE)、Staphylococcus aureusトキシックショック症候群毒素(TSST-1)、レンサ球菌分裂誘発性外毒素(SME)又はレンサ球菌スーパー抗原(SSA)を含んでなる請求項１９に記載の方法。
【請求項２１】
前記細胞が培養細胞である請求項１７〜２０のいずれか１項に記載の方法。
【請求項２２】
前記エキソソームの単離が、前記細胞を培養する培地を採集することを含んでなる請求項２１に記載の方法。
【請求項２３】
前記細胞がガン細胞である請求項１７〜２２のいずれか１項に記載の方法。
【請求項２４】
前記ガン細胞が、卵巣ガン細胞、子宮頸ガン細胞、乳ガン細胞、子宮内膜ガン細胞、結腸ガン細胞、前立腺ガン細胞、肺ガン細胞、黒色腫細胞又は膵臓ガン細胞である請求項２３に記載の方法。
【請求項２５】
前記細胞が、UL-1細胞、UL-2、UL-3細胞及びUL-6である請求項２４に記載の方法。
【請求項２６】
前記細胞による前記１又はそれより多い免疫抑制性ポリペプチドの発現抑制が、前記１又はそれより多い免疫抑制性ポリペプチドの発現を特異的に抑制する１又はそれより多い阻害性ポリヌクレオチドを前記細胞中に導入することを含んでなる請求項１７〜２５のいずれか１項に記載の方法。
【請求項２７】
前記１又はそれより多い阻害性ポリヌクレオチドがsiRNAポリヌクレオチドを含んでなる
請求項２６に記載の方法。
【請求項２８】
前記１又はそれより多い免疫抑制性ポリペプチドが、FasL、プログラム死リガンド-１、プログラム死リガンド-２、B7-H3、B7-H4及びこれらの組合せからなる群より選択される請求項１７〜２７のいずれか１項に記載の方法。
【請求項２９】
ガンを治療するための請求項１６に記載の組成物。
【請求項３０】
前記ガンが充実性腫瘍である請求項２９に記載の組成物。
【請求項３１】
前記ガンが、卵巣ガン細胞、子宮頸ガン細胞、乳ガン細胞、子宮内膜ガン細胞、結腸ガン細胞、前立腺ガン細胞、肺ガン細胞、黒色腫細胞又は膵臓ガン細胞である請求項２９に記載の組成物。
【請求項３２】
１又はそれより多い抗原に対して免疫応答を刺激するための請求項１６に記載の組成物。
【手続補正書】
【提出日】平成23年1月25日(2011.1.25)
【手続補正１】
【補正対象書類名】明細書
【補正対象項目名】特許請求の範囲
【補正方法】変更
【補正の内容】
【特許請求の範囲】
【請求項１】
パパイアモザイクウィルス（ＰａｐＭＶ）またはＰａｐＭＶ外被タンパク質由来ＶＬＰと組み合わせて、１または２種以上の腸内細菌抗原を含む抗原提示系であって、前記ＰａｐＭＶまたはＶＬＰが、前記１または２種以上の腸内細菌抗原に対する免疫反応を増強することができる、前記抗原提示系。
【請求項２】
ＶＬＰが改変ＰａｐＭＶ外被タンパク質に由来し、前記改変ＰａｐＭＶ外被タンパク質は、多量体化して前記ＶＬＰを形成することができる、請求項１に記載の抗原提示系。
【請求項３】
抗原提示系が、配列番号３に記載の配列と実質的に同一のアミノ酸配列を含むＶＬＰを含む、請求項２に記載の抗原提示系。
【請求項４】
１または２種以上の抗原が、ＰａｐＭＶまたはＶＬＰの外被タンパク質に複合している、請求項１〜３のいずれかに記載の抗原提示系。
【請求項５】
１または２種以上の抗原が、ＰａｐＭＶまたはＶＬＰに複合していない、請求項１〜３のいずれかに記載の抗原提示系。
【請求項６】
１または２種以上の抗原が、外被タンパク質に遺伝子的に融合している、請求項４に記載の抗原提示系。
【請求項７】
１または２種以上の抗原が、外被タンパク質に親和性結合により結合している、請求項４に記載の抗原提示系。
【請求項８】
親和性結合が、外被タンパク質に遺伝子的に融合した親和性ペプチドを介したものであり、前記親和性ペプチドが、１または２種以上の抗原を結合可能である、請求項７に記載の抗原提示系。
【請求項９】
１または２種以上の抗原が、ポリンタンパク質またはその抗原性断片である、請求項１〜３のいずれかに記載の抗原提示系。
【請求項１０】
１または２種以上の抗原が、ＯｍｐＣ、ＯｍｐＣの断片、ＯｍｐＦ、およびＯｍｐＦの断片の群から選択される、請求項１〜３のいずれかに記載の抗原提示系。
【請求項１１】
１または２種以上の抗原が、腸チフス菌抗原である、請求項１〜３のいずれかに記載の抗原提示系。
【請求項１２】
抗原提示系が、配列番号４２、配列番号４３または配列番号４８に記載の配列と実質的に同一のアミノ酸配列を含むＶＬＰを含む、請求項１に記載の抗原提示系。
【請求項１３】
請求項１〜１２のいずれかに記載の抗原提示系、および薬学的に許容し得る担体を含む、ワクチン組成物。
【請求項１４】
腸内細菌抗原を結合可能な１または２種以上の親和性ペプチドに融合したパパイアモザイクウィルス外被タンパク質を含む、ポリペプチド。
【請求項１５】
抗原が、腸チフス菌抗原である、請求項１４に記載のポリペプチド。
【請求項１６】
１または２種以上の親和性ペプチドがそれぞれ、配列番号２１、配列番号２２、配列番号２３、配列番号２４および配列番号２５に記載の配列から選択される配列を含む、請求項１４または１５に記載のポリペプチド。
【請求項１７】
ポリペプチドが、配列番号４２、配列番号４３または配列番号４８に記載の配列と実質的に同一のアミノ酸配列を含む、請求項１４または１５に記載のポリペプチド。
【請求項１８】
ＯｍｐＣ、ＯｍｐＣの断片、ＯｍｐＦ、およびＯｍｐＦの断片の群から選択される１または２種以上の腸内細菌抗原に融合したパパイアモザイクウィルス外被タンパク質を含む、ポリペプチド。
【請求項１９】
１または２種以上の抗原が、腸チフス菌抗原である、請求項１８に記載のポリペプチド。
【請求項２０】
１または２種以上の抗原が、ＰａｐＭＶ外被タンパク質のＣ末端においてまたはこの内部ループ内に融合している、請求項１８または１９に記載のポリペプチド。
【請求項２１】
請求項１４〜２０のいずれかに記載のポリペプチドをコードする、ポリヌクレオチド。
【請求項２２】
腸内細菌に対する免疫反応を必要とする動物において腸内細菌に対する免疫反応を誘発する使用のための、請求項１〜１２のいずれかに記載の抗原提示系。
【請求項２３】
腸内細菌に対する免疫反応を必要とする動物において腸内細菌に対する免疫反応を誘発する使用のための、請求項１３に記載のワクチン。
【請求項２４】
腸内細菌が腸チフス菌である、請求項２２に記載の抗原提示系または請求項２３に記載のワクチン。
【請求項２５】
動物がヒトである、請求項２２〜２４のいずれかに記載の抗原提示系またはワクチン。
【請求項２６】
動物が非ヒト動物である、請求項２２〜２４のいずれかに記載の抗原提示系またはワクチン。
【請求項２７】
請求項１〜１２のいずれかに記載の抗原提示系の、ワクチンの調製のための使用。
【請求項２８】
ワクチンが、腸内細菌に対する免疫反応を必要とする動物において腸内細菌に対する免疫反応を誘発するためのものである、請求項２７に記載の使用。
【請求項２９】
腸内細菌が腸チフス菌である、請求項２８に記載の使用。
【請求項３０】
動物がヒトである、請求項２８または２９に記載の使用。
【請求項３１】
動物が非ヒト動物である、請求項２８または２９に記載の使用。
【請求項３２】
腸チフス菌感染に対して動物を免疫化するためのワクチンであって、前記ワクチンが、腸チフス菌ＯｍｐＣまたはＯｍｐＦに由来する抗原を、パパイアモザイクウィルス（ＰａｐＭＶ）またはＰａｐＭＶ外被タンパク質由来ＶＬＰと組み合わせて含む抗原提示系を含み、ここで前記ＰａｐＭＶまたはＶＬＰが、動物における前記抗原に対する免疫反応を増強可能である、前記ワクチン。
【請求項３３】
抗原提示系が、配列番号４２、配列番号４３または配列番号４８に記載の配列と実質的に同一のアミノ酸配列を含むＶＬＰを含む、請求項３２に記載のワクチン。
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
ある出発材料から、ヒドロキティロソルを含有する抽出物を生成する方法において、
前記出発材料は、オリーブ・オイルを抽出した後のオリーブ残留物、又はオリーブから選択され、
前記方法は、前記出発材料を酸性加水分解し、得られた溶液を純化し、
（ａ）水中で前記出発材料を酸性加水分解するステップと、
前記加水分解ステップは、温度は、７０℃−１４０℃であり、ゲージ圧は、２０ｐｓｉ（１３７．８ＫＰａ）以下あり、ｐＨは、１．０−６．０であり、
（ｂ）前記（ａ）ステップの加水分解水溶液から、懸濁した固体を除去するステップと、
前記ステップにより、分離した水溶液を確保し、
（ｃ）前記（ｂ）ステップで得た水溶液（Ａ）を、第１クロマトグラフィ・カラムに入れるステップと、
前記第１クロマトグラフィ・カラム内の樹脂は、酸で活性化した陰イオン交換樹脂から選択され、
（ｄ）前記第１クロマトグラフィ・カラムの樹脂上に残った生成物を、水で溶離するステップと
（ｅ）前記ステップ（ｄ）で得られた溶液（Ｂ）を、第２クロマトグラフィ・カラムに入れるステップと、
前記第２クロマトグラフィ・カラムの樹脂は、吸収性の非イオン性樹脂から選択され、
（ｆ）前記第２クロマトグラフィ・樹脂上に残った生成物を、水で溶離するステップと
を有する
ことを特徴とするヒドロキティロソルを含有する抽出物を生成する方法。
【請求項２】
前記加水分解は、連続する殺菌システムで行われ、
前記加水分解の温度は、１１０℃−１３０℃であり、
前記加水分解のゲージ圧は、１０−２０ｐｓｉ（６８．９４−１３７．８ＫＰａ）である
ことを特徴とする請求項１記載の方法。
【請求項３】
前記ステップ（ａ）は、１５分−４５分間行われる
ことを特徴とする請求項１又は２記載の方法。
【請求項４】
前記ステップ（ａ）の温度は、１１８℃−１２６℃の範囲である
ことを特徴とする請求項２又は３記載の方法。
【請求項５】
（ｇ）前記ステップ（ｄ）で得られた溶液（Ｂ）、又は前記ステップ（ｆ）で得られた溶液（Ｃ）を、逆浸透圧で濃縮するステップ、
を更に有する
ことを特徴とする請求項１−４の何れかに記載の方法。
【請求項６】
（ｈ）前記生成物が固体状態となるまで、脱水するステップ、
を更に有する
ことを特徴とする請求項１−５の何れかに記載の方法。
【請求項７】
オイルを、前記出発材料から除去する、あるいは前記ステップ（ｂ）で得られた溶液から除去する
ことを特徴とする請求項１−６の何れかに記載の方法。
【請求項８】
請求項１−７の何れかに記載された方法により得られた抽出物において、
前記抽出物は、有機溶剤を含有せず、砂糖と塩を含有しない、
前記抽出物は、ヒドロキティロソルを１０％以上を含み、
その純度は、８０％（ＨＰＬＣ２８０ｎｍによる）以上である
ことを特徴とするヒドロキティロソルを含む流体抽出物。
【請求項９】
請求項８に記載された抽出物は、流体であり、
前記流体抽出物は、ヒドロキティロソルを３０％以上を含み、
その純度は、９０％（ＨＰＬＣ２８０ｎｍによる）以上である
ことを特徴とするヒドロキティロソルを含む流体抽出物。
【請求項１０】
請求項８に記載された抽出物は、固体であり、
前記固体抽出物は、ヒドロキティロソルを１０％以上を含み、
その純度は、４０％（ＨＰＬＣ２８０ｎｍによる）以上である
ことを特徴とするヒドロキティロソルを含む固体抽出物。
【請求項１１】
請求項１０に記載された固体抽出物において、
前記固体抽出物は、ヒドロキティロソルを４０％以上を含み、
その純度は、９０％（ＨＰＬＣ２８０ｎｍによる）以上である
ことを特徴とするヒドロキティロソルを含む固体抽出物。
【請求項１２】
請求項８−１０のいずれかに記載された抽出物において、
前記抽出物は、請求項１のステップ（ｄ）から得られ、
その純度は、７５％（ＨＰＬＣ２８０ｎｍによる）以上である
ことを特徴とするヒドロキティロソルを含む固体抽出物。
【請求項１３】
ある出発材料からヒドロキティロソルを含有する抽出物を生成する装置において、
前記出発材料は、オリーブ・オイルを抽出した後のオリーブ残留物、又はオリーブから選択され、
前記装置は、
（ａ）前記出発材料を酸性加水分解する手段と、
前記加水分解は、温度は７０℃−１４０℃で、ｐＨは１．０−６．０で、実行され、
（ｂ）分離した水溶液を得る為、前記加水分解による生成物を処理する手段と、
（ｃ）第１のクロマトグラフィ・カラムと、
前記第１のクロマトグラフィ・カラム内の樹脂は、酸で活性化した陰イオン交換樹脂から選択され、
（ｄ）第２クロマトグラフィ・カラムと、
前記第２クロマトグラフィ・カラムの樹脂は、吸収性の非イオン性樹脂から選択され、
を有する
ことを特徴とするヒドロキティロソルを含有する抽出物を生成する装置。
【請求項１４】
前記加水分解する手段は、連続する殺菌システムを有し、
前記連続する殺菌システムは、前記出発材料の連続する流れを圧力をかけながら処理する
ことを特徴とする請求項１３記載の装置。
【請求項１５】
前記の酸で活性化した陰イオン交換樹脂は、弱塩基性の水溶離陰イオン交換樹脂であり、
前記吸収性の非イオン性樹脂は、マクロ網状の架橋された芳香族ポリマである
ことを特徴とする請求項１３又は１４記載の装置。
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
ステアリドン酸およびダイズタンパク質を含む食品であって、香味料分解に対して、ステアリドン酸ではなくエイコサペンタン酸を有する以外は同一の食品よりも少なくとも5％長い貯蔵寿命を示し、ここに該ステアリドン酸がトランスジェニック植物に由来する該食品。
【請求項２】
ステアリドン酸およびダイズタンパク質を含む動物飼料生成物であって、ステアリドン酸ではなくエイコサペンタン酸を有する以外は同一の飼料生成物よりも少なくとも5％長い生成物寿命を示し、ここに該ステアリドン酸がトランスジェニック植物に由来し、家畜または水産養殖用の飼料として使用することができる該動物飼料生成物。
【請求項３】
ステアリドン酸およびダイズタンパク質を含むニュートラシューティカル生成物であって、香味料分解に対して、ステアリドン酸ではなくエイコサペンタン酸を有する以外は同一の食品よりも少なくとも5％長い貯蔵寿命を示し、ここに該ステアリドン酸がトランスジェニック植物に由来し、該生成物がニュートラシューティカルとして利用される該ニュートラシューティカル生成物。
【請求項４】
該貯蔵寿命が少なくとも15％長い請求項１ないし３のいずれか１項に記載の食品、動物飼料生成物またはニュートラシューティカル生成物。
【請求項５】
さらに、トコフェロールを含む請求項１ないし３のいずれか１項に記載の食品、動物飼料生成物またはニュートラシューティカル生成物。
【請求項６】
さらに、0.1重量％ないし80重量％のステアリドン酸を含む請求項１ないし３のいずれか１項に記載の食品、動物飼料生成物またはニュートラシューティカル生成物。
【請求項７】
40重量％未満のリノール酸を含む請求項１ないし３のいずれか１項に記載の食品、動物飼料生成物またはニュートラシューティカル生成物。
【請求項８】
さらに、ダイズ油中の脂肪酸またはその誘導体の総重量に基づいて、少なくとも10重量％のステアリドン酸、少なくとも400ppmのトコフェロールおよび最大で35重量％のリノール酸からなるトランスジェニック・ダイズ油を含む請求項１記載の食品。
【請求項９】
食品が
ａ）ダイズ粗挽き粉;
ｂ）ダイズ粉；
ｃ）脱脂ダイズ粉；
ｄ）豆乳；
ｅ）噴霧乾燥豆乳；
ｆ）ダイズタンパク質濃縮物；
ｇ）特定のきめを出したダイズタンパク質濃縮物；
ｈ）加水分解ダイズタンパク質；
ｉ）ダイズタンパク質単離物；および
ｊ）噴霧乾燥豆腐
よりなる群から選択される請求項１記載の食品。
【請求項１０】
さらに、水分含有成分；および食品が安定なエマルジョンになるようなエマルジョンを形成する十分な量の安定化剤を含む請求項１記載の食品。
【請求項１１】
ステアリドン酸を含む油組成物と食べ物とを混合して他の脂肪酸のレベルに対して食べ物中のステアリドン酸の量を増加させることを含む請求項１記載の食品の製造方法。
【請求項１２】
トランスジェニック植物由来のステアリドン酸を含む油組成物と飼料栄養分とを混合することを含む請求項２記載の動物飼料生成物の製造方法。
【請求項１３】
トランスジェニック植物由来のステアリドン酸を含む油組成物を食べ物に添加することを含む請求項３記載のニュートラシューティカル生成物の製造方法。
【請求項１４】
該食品、動物飼料生成物またはニュートラシューティカル生成物が0.1重量％ないし80重量％のステアリドン酸を含む請求項１１ないし１３のいずれか１項に記載の方法。
【請求項１５】
さらに、トコフェロールを食品、動物飼料生成物またはニュートラシューティカル生成物に添加することを含む請求項１１ないし１３のいずれか１項に記載の方法。
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
タバコ特有ニトロサミン（ＴＳＮＡ）を水性タバコ抽出物から選択的に除去する方法であって、
水性タバコ抽出物を準備し、
前記抽出物をＴＳＮＡ選択吸着剤と接触させる
ステップを含み、前記ＴＳＮＡ選択吸着剤は少なくとも２のＴＳＮＡ選択吸着指数を有し、前記ＴＳＮＡ選択吸着剤と前記抽出物とを接触させる前に前記水性タバコ抽出物を濃縮
することを特徴とする方法。
【請求項２】
前記ＴＳＮＡ選択吸着剤は１００オングストロームより小さい平均孔径と、約３００ｍ2／ｇから約１１００ｍ2／ｇまでの内表面積を有することを特徴とする請求項１に記載の方法。
【請求項３】
前記ＴＳＮＡ選択吸着剤は少なくとも約１０００ｍ2／ｇの内表面積と、約１．１５（ｃｍ3／ｇ）又はそれより大きい合計孔隙率を有することを特徴とする請求項１に記載の方法。
【請求項４】
前記ＴＳＮＡ選択吸着剤は粒径が約２０から５０メッシュであり、クラッシュ強度が約５００（ｇ／ビーズ）より大きい、膨潤状態で後架橋されたスチレン及びジビニルベンゼンのコポリマーであることを特徴とする請求項１に記載の方法。
【請求項５】
可溶性金属イオンを水性タバコ抽出物から選択的に除去する方法であって、
水性タバコ抽出物を準備し、
前記抽出物を金属選択吸着剤と接触させ、
前記金属選択吸着剤は少なくとも１５の金属選択吸着指数を有し、
前記抽出物を金属選択吸着剤と接触させる前に、前記水性タバコ抽出物を濃縮するステップとを含むことを特徴とする方法。
【請求項６】
硝酸を水性タバコ抽出物から選択的に除去する方法であって、
水性タバコ抽出物を準備し、
前記抽出物を硝酸選択吸着剤と接触させ、
前記硝酸選択吸着剤は少なくとも３．８の硝酸選択指数を有し、
前記抽出物を硝酸選択吸着剤と接触させる前に、前記水性タバコ抽出物を濃縮するステップを含むことを特徴とする方法。
【請求項７】
前記硝酸選択吸着剤は、約１．５ｅｑ／ｌより大きい酸中和能力を有する弱塩基により官能化されたスチレン・ジビニルベンゼン樹脂であることを特徴とする請求項６に記載の方法。
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
ヒト胚幹細胞培養物を非還元末端の末端（Ｆｕｃα２）ｎＧａｌβ４ＧｌｃＮＡｃ［式中、ｎは０または１である］に結合するレクチンと接触させる工程を含む、ヒト胚幹細胞のｉｎ  ｖｉｔｒｏにおける培養のための方法。
【請求項２】
ヒト胚幹細胞が未分化状態を培養中に維持する、請求項１記載の方法。
【請求項３】
前記レクチンがＥＣＡ、ガレクチン−１、ＤＳＡおよびＵＥＡ−１からなる群より選択される、請求項２記載の方法。
【請求項４】
前記レクチンが共有結合的相互作用により表面に固定化される、請求項２記載の方法。
【請求項５】
前記レクチンが組み替え分子である、請求項１記載の方法。
【請求項６】
前記レクチンが組み替えＥＣＡであり、ここで位置１１３のＮ−グリコシル化部位は、好ましくは、Ｎ−グリコシル化部位ＮＮＳがＱＮＳを形成するように変化する、位置１１３のアミノ酸残基のＮからＱへの突然変異によって、または前記セリン残基をアラニンに変異させることにより、またはプロリンもしくは長い残基を前記ＮＳＳ配列中の１１３ＮおよびＳの間で変異させることにより、変異させられている、請求項５記載の方法。
【請求項７】
（Ｆｕｃα２）ｎＧａｌβ４ＧｌｃＮＡｃ［式中、ｎは０または１である］に結合するレクチンの、ヒト胚幹細胞の培養のための培地添加物としての使用。
【請求項８】
請求項１記載の方法から得られた多分化能または多能性ヒト胚幹細胞の精製された調製物。
【請求項９】
前記細胞を、非還元末端または還元末端の末端グリカン構造を結合する１または複数種の共有結合的に固定化されたレクチンまたは結合剤と接触させる工程を含み、前記レクチンまたは結合剤がＧａｌβ４ＧｌｃＮＡｃ、ＧａｌＮＡｃβ４ＧｌｃＮＡｃ、Ｎｅｕ５Ａｃα３Ｇａｌβ４ＧｌｃＮＡｃ、Ｎｅｕ５Ａｃα６Ｇａｌβ４ＧｌｃＮＡｃ、Ｆｕｃα２Ｇａｌβ４ＧｌｃＮＡｃ、Ｇａｌβ４（Ｆｕｃα３）ＧｌｃＮＡｃ、およびＧｌｃＮＡｃβ４（Ｆｕｃα６）ＧｌｃＮＡｃからなる群より選択される１または数種の末端グリカン構造を認識する、間葉系または胚幹細胞の培養のための方法。
【請求項１０】
前記レクチンまたは結合剤が、前記レクチンもしくは結合剤のグリカンから結合されるか、または前記レクチンもしくは結合剤タンパク質／ペプチドの表面からの特異的アミノ酸残基からの化学的結合を含む、請求項９記載の方法。
【請求項１１】
複合構造が式ＣＯＮＪ
Ｂ−（Ｇ−）ｍＲ１−Ｒ２−（Ｓ１−）ｎＴ−
［式中、Ｂは前記結合剤であり、Ｇはグリカン（前記結合剤がグリカンを結合する場合）であり、
Ｒ１およびＲ２は化学選択的連結基であり、Ｔはタグ、好ましくはビオチンであり、Ｌはタグに特異的に結合するリガンドであり；Ｓ１は任意のスペーサー基、好ましくは炭素数１〜１０のアルキルであり、
ｍおよびｎは独立に０または１のいずれかの整数である］
によるものである、請求項１０記載の方法。
【請求項１２】
前記レクチンまたは結合剤が非還元末端（Ｆｕｃα２）ｎＧａｌβ４ＧｌｃＮＡｃ［式中、ｎは０または１である］に結合する、請求項９記載の方法。
【請求項１３】
前記結合剤またはレクチンが、ＥＣＡ、ガレクチン、ＤＳＡおよびＵＥＡ−１、または類似の結合特異性を有するレクチンもしくは結合剤からなる群より選択される、請求項１２記載の方法。
【請求項１４】
前記レクチンまたは結合剤が組み替え分子である、請求項９記載の方法。
【請求項１５】
前記レクチンが組み替えＥＣＡであり、ここで位置１１３のＮ−グリコシル化部位は、好ましくは、Ｎ−グリコシル化部位ＮＮＳがＱＮＳを形成するように変化する、位置１１３のアミノ酸残基のＮからＱへの突然変異によって、または前記セリン残基をアラニンに変異させることにより、またはプロリンもしくは長い残基を前記ＮＳＳ配列中の１１３ＮおよびＳの間で変異させることにより、変異させられている、請求項９記載の方法。
【請求項１６】
前記細胞が、前記の固定化されたレクチンから、前記レクチンの結合エピトープまたはその一部に対応する炭水化物によって遊離させられ、好ましくはｈＥＳＣのＦｕｃα２Ｇａｌβ４ＧｌｃＮＡｃ、Ｇａｌβ４ＧｌｃＮＡｃ、またはＧａｌβ４Ｇｌｃ除去を含む、請求項９記載の方法。
【請求項１７】
前記レクチンまたは結合剤が改造されたレクチンであり、ここで前記改造がグリカンもしくはグリコシル化部位の除去または前記グリカンの不活性化により行われる、請求項９記載の方法。
【請求項１８】
レクチンまたは結合剤の前記グリカンが、前記グリカンの酸化により、より好ましくは過ヨウ素酸塩による酸化および不活性型への誘導または固相へのグリカンからの（に対する）誘導および結合により、不活性化される、請求項９記載の方法。
【請求項１９】
請求項９により得られた、ヒト間葉系幹細胞の調製物。
【請求項２０】
（ｉ）前記細胞を、非還元末端または還元末端の末端グリカン構造を結合する１または複数種のレクチンまたは結合剤と接触させ、前記レクチンまたは結合剤がＧａｌβ４ＧｌｃＮＡｃ、ＧａｌＮＡｃβ４ＧｌｃＮＡｃ、Ｎｅｕ５Ａｃα３Ｇａｌβ４ＧｌｃＮＡｃ、Ｎｅｕ５Ａｃα６Ｇａｌβ４ＧｌｃＮＡｃ、Ｆｕｃα２Ｇａｌβ４ＧｌｃＮＡｃ、Ｇａｌβ４（Ｆｕｃα３）ＧｌｃＮＡｃ、およびＧｌｃＮＡｃβ４（Ｆｕｃα６）ＧｌｃＮＡｃからなる群より選択される１または数種の末端グリカン構造を認識すること；（ｉｉ）前記細胞を、所望の刺激または細胞における状態の変化を達成するのに十分な期間インキュベートすること；の工程を含む、ヒトの間葉系または胚幹細胞の状態を調節するための方法。
【請求項２１】
好ましくは、請求項１５に記載の前記組み替えタンパク質をコードする核酸配列、またはその機能的ホモログもしくは機能的断片を含む宿主細胞における、核酸配列。
【請求項２２】
請求項２１に記載のヌクレオチド配列によってコードしたプロテイン。
【請求項２３】
式ＣＯＮＪ
Ｂ−（Ｇ−）ｍＲ１−Ｒ２−（Ｓ１−）ｎＴ−
［式中、Ｂは前記結合剤であり、Ｇはグリカン（前記結合剤がグリカンを結合する場合）であり、
Ｒ１およびＲ２は化学選択的連結基であり、Ｔはタグ、好ましくはビオチンであり、Ｌはタグに特異的に結合するリガンドであり；Ｓ１は任意のスペーサー基、好ましくは炭素数１〜１０のアルキルであり、
ｍおよびｎは独立に０または１のいずれかの整数である］
の複合体構造。
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
配列番号２又は配列番号４の配列からなる変異ネトリン４タンパク質の、配列番号６、８、10、56、114、116、146、148、193、195、197、199、201及び203〜209からなる群より選択されるフラグメント。
【請求項２】
請求項１のタンパク質をコードするヌクレオチド配列。
【請求項３】
配列番号２をコードする配列番号１のヌクレオチド配列又は配列番号４をコードする配列番号３のヌクレオチド配列の、配列番号５、７、９、55、113、115、145及び147からなる群より選択されるフラグメントを含むか又は該フラグメントからなることを特徴とする請求項２に記載のヌクレオチド配列。
【請求項４】
請求項２又は３に記載のヌクレオチド配列を含み、該挿入されているヌクレオチド配列によりコードされるポリペプチドの宿主細胞における発現に必要なエレメントを含むことを特徴とする、プラスミド、コスミド、ファージ又はウイルスDNAのような組換えベクター。
【請求項５】
請求項４に記載の組換えベクターを用いて形質転換された、細菌、ウイルス、酵母、真菌細胞、植物細胞又は哺乳動物細胞から選択される宿主細胞。
【請求項６】
有効成分として、
請求項１に記載のタンパク質のフラグメント、又は
請求項２若しくは３に記載のヌクレオチド配列
を含む医薬組成物。
【請求項７】
請求項１で定義されるタンパク質、又は
請求項２若しくは３に記載のヌクレオチド配列
の、近視併発脈絡膜新血管新生、角膜新血管新生、移植片拒絶、緑内障、糖尿病性網膜症若しくは未熟児網膜症からなる群より選択される病変の予防又は治療用、或いは網膜新血管新生の治療用の薬剤の製造のための使用。
【請求項８】
請求項１に記載のタンパク質のフラグメント、又は
請求項２若しくは３に記載のヌクレオチド配列
の、周細胞又は平滑筋細胞の希薄化に関連するか又は該希薄化により引き起こされ、周細胞又は平滑筋細胞の増殖若しくは遊走の活性化を必要とする非腫瘍性病変であって、
−  加齢に伴う黄斑変性、及び
−  血管新生緑内障
からなる群より選択される非腫瘍性病変の予防又は治療のための薬剤の製造のための使用。
【請求項９】
−  配列番号２若しくは配列番号４の配列からなる変異ネトリン４タンパク質の、配列番号６、８、10、56、114、116、146、148、193、195、197、199、201及び203〜209からなる群より選択されるフラグメントと、
AVASTIN (ベバシズマブ)、MACUGEN (ペガプタニブ)及びLUCENTIS (ラニビズマブ)、又はSUTENT (スニチニブ)若しくはNEXAVAR (ソラフェニブ)のようなその他の任意の抗VEGF薬、ニューロピリン-１に対するヒト化抗体、並びにDLL4に対するヒト化抗体、又はAM 386のようなアンジオポエチン経路に干渉する薬からなる群より選択される血管新生抑制薬との組み合わせの、請求項７で定義される病変の予防又は治療用の薬剤の製造のための使用。
【請求項１０】
−  配列番号２若しくは配列番号４の配列からなる変異ネトリン４タンパク質の、配列番号６、８、10、56、114、116、146、148、193、195、197、199、201及び203〜209からなる群より選択されるフラグメントと、
AVASTIN (ベバシズマブ)、MACUGEN (ペガプタニブ)及びLUCENTIS (ラニビズマブ)、又はSUTENT (スニチニブ)若しくはNEXAVAR (ソラフェニブ)のようなその他の任意の抗VEGF薬、ニューロピリン-１に対するヒト化抗体、並びにDLL4に対するヒト化抗体、又はAM 386のようなアンジオポエチン経路に干渉する薬からなる群より選択される血管新生抑制薬とを含む、請求項７で定義される病変の治療又は予防に同時、別々又は逐次的に使用する組み合わせ製剤。
【請求項１１】
配列番号２若しくは配列番号４の配列からなる変異ネトリン４タンパク質の、配列番号６、８、10、56、114、116、146、148、193、195、197、199、201及び203〜209からなる群より選択されるフラグメントとともに、周細胞又は血管平滑筋細胞を含む医薬組成物。